(57)【要約】【課題】  集塵カバー自体に簡単な工夫を加えるだけで、集塵効率を大幅に向上させる。【解決手段】  加工刃物２にワーク１が接触する加工位置Ｐと集塵口１３ａとの間の集塵カバー１３に吸気口１３ｄを形成することにより、集塵機５による吸引エアーの安定した流れが発生して、加工位置で多量に発生する切粉等が集塵口３ａの方向に運び去られるようになる。【選択図】  図１
2005035153.tif 000002
【特許請求の範囲】
【請求項１】
加工機の加工刃物を覆うカバー部と集塵機に接続される集塵口とを備えた集塵カバーであって、この加工刃物とワークとが接触する加工位置と集塵口との間の集塵カバーに、吸気口が形成されていることを特徴とする加工機の集塵カバー。
【請求項２】
上記吸気口は、加工位置に対応する集塵カバーに形成されている請求項１記載の加工機の集塵カバー。
【請求項３】
上記加工刃物全体が集塵カバー内に収納されて、この集塵カバーに、ワークの通過に支障の無い最低限の開口が形成されている請求項１または２記載の加工機の集塵カバー。
【発明の詳細な説明】
【技術分野】
【０００１】
本発明は、集塵効率が向上する加工機の集塵カバーに関する。
【背景技術】
【０００２】
従来、加工機の加工刃物を覆う集塵カバーが設けられて、加工刃物によるワークの加工に伴って発生する粉塵等は、集塵カバーで外部に飛散させないようにしながら集塵機で集塵するようにしたものがある（例えば、特許文献１参照）。
【０００３】
ところで、図４および図５に示すように、例えば木工加工分野において、床材のような木製のワーク１の端部に嵌め合いの実（サネ）構造のための加工をするような場合、加工刃物（例えば、丸鋸）２は横向きに設置されて、ワーク１は水平テーブルに沿って矢印Ａ方向に水平送りしながら、矢印Ｂ方向に回転する加工刃物２に接触させて加工するようになる。
【０００４】
そして、加工刃物２によるワークの加工に伴って発生する切粉は、矢印Ｃで示すように、集塵カバー３の集塵口３ａからホース４を介して集塵機５で集塵するようになっている。
【特許文献１】特開平８−１４２０４４号公報
【発明の開示】
【発明が解決しようとする課題】
【０００５】
しかしながら、上記のような集塵カバー３は、ワーク１の通過と集塵の吸い込み風量の確保のための開口３ｂが兼用であったために、全面開口が主流であった。
【０００６】
このため、加工刃物２にワーク１が接触する加工位置Ｐで多量に発生する切粉の一部は、集塵カバー３で集塵されないで外部に飛散することになる。
【０００７】
このように飛散した切粉は作業後に掃除すれば良く、集塵効率は、集塵機５の能力アップで対応すれば良いという考え方が強く支配しており、作業性や作業環境が悪くなるという問題があった。
【０００８】
また、集塵機５の能力が低いと、集塵カバー３内に切粉が残りやすく、この切粉が加工刃物２で掻き回されると、周囲に飛散したり、この未集塵切粉が再切削されて加工刃物２の寿命が低下するという問題もあった。
【０００９】
本発明は、上記問題を解消するためになされたもので、集塵カバー自体に簡単な工夫を加えるだけで、集塵効率を大幅に向上させることができる加工機の集塵カバーを提供することを課題とするものである。
【課題を解決するための手段】
【００１０】
上記課題を解決するために、本発明は、加工機の加工刃物を覆うカバー部と集塵機に接続される集塵口とを備えた集塵カバーであって、この加工刃物とワークとが接触する加工位置と集塵口との間の集塵カバーに、吸気口が形成されていることを特徴とする加工機の集塵カバーを提供するものである。
【００１１】
請求項２のように、上記吸気口は、加工位置に対応する集塵カバーに形成されている構成とすることが好ましい。。
【００１２】
請求項３のように、上記加工刃物全体が集塵カバー内に収納されて、この集塵カバーに、ワークの通過に支障の無い最低限の開口が形成されている構成とすることが好ましい。
【発明の効果】
【００１３】
本発明によれば、加工刃物にワークが接触する加工位置と集塵口との間の集塵カバーに吸気口を形成することにより、集塵機による吸引エアーの安定した流れが発生して、加工位置で多量に発生する切粉等を集塵口の方向に運び去るから、集塵効率が大幅に向上して、切粉等が集塵カバーの開口から外部に飛散しにくくなる。
【００１４】
したがって、作業後に切粉等を掃除する必要が少なくなって作業性が良好になるとともに、作業環境も良好になる。
【００１５】
また、集塵カバー内に切粉等が残りにくくなるから、切粉が加工刃物で掻き回されなくなるので、周囲に飛散しなくなり、未集塵切粉が再切削されなくなって加工刃物の寿命が長くなる。
【００１６】
請求項２によれば、吸気口を加工位置に対応する集塵カバーに形成することにより、加工位置で多量に発生する切粉等を迅速に集塵口の方向に運び去ることができる。
【００１７】
請求項３によれば、加工刃物全体を集塵カバー内に収納して、ワークの通過に支障の無い最低限の開口を集塵カバーに形成することにより、開口からの切粉等の飛散を抑制することができる。
【発明を実施するための最良の形態】
【００１８】
以下、本発明を実施するための最良の形態について、図面を参照しながら詳細に説明する。なお、先行技術と同一構成・作用の箇所は、同一番号を付して詳細な説明を省略する。
【００１９】
図１〜図３に示すように、集塵カバー１３は、横向きに設置された加工刃物２の全体を覆って収納する形状に形成されている。
【００２０】
この集塵カバー１３の側面には、ワーク１の通過に支障の無い高さＴと奥行きＷに設定した最低限の開口１３ｂが形成されている
そして、ワーク１は水平テーブルに沿って矢印Ａ方向に水平送りしながら、開口１３ｂから集塵カバー１３内を通過させて、集塵カバー１３内で矢印Ｂ方向に回転する加工刃物２に接触させて加工するようになる。
【００２１】
この加工刃物２によるワークの加工に伴って発生する切粉は、矢印Ｃで示すように、集塵カバー１３の集塵口１３ａから従来と同様に（図４参照）、ホース４を介して集塵機５で集塵するようになっている。
【００２２】
上記集塵カバー１３の上面１３ｃには、加工刃物２にワーク１が接触して、切粉が多量に発生する加工位置Ｐに対応して、外気を集塵カバー１３内に吸い込むための吸気口１３ｄが形成されている。なお、加工刃物２を縦向きに設置している場合には、集塵カバー１３の片方若しくは両方の側面に吸気口１３ｄを形成すれば良い。
【００２３】
上記吸気口１３ｄは、加工位置Ｐに対応する位置が最適であるが、加工位置Ｐと集塵口１３ａとの間の位置であれば良い。
【００２４】
上記のような集塵カバー１３であれば、集塵機５によって、開口１３ｂから集塵カバー１３内に吸い込まれる空気流が切粉等を集塵口１３ａの方向に運び去ると同時に、吸気口１３ｄから集塵カバー１３内に吸い込まれる強い空気流が加工位置Ｐで多量に発生する切粉等を集塵口１３ａの方向に迅速に運び去るようになる。
【００２５】
これにより、集塵効率が大幅に向上して、切粉等が集塵カバー１３の開口１３ｂから外部に飛散しにくくなる。
【００２６】
したがって、作業後に切粉等を掃除する必要が少なくなって作業性が良好になるとともに、作業環境も良好になる。
【００２７】
また、集塵カバー１３内に切粉等が残りにくくなるから、切粉が加工刃物２で掻き回されなくなるので、周囲に飛散しなくなり、未集塵切粉が再切削されなくなって加工刃物２の寿命も長くなる
特に、吸気口１３ｄを加工位置Ｐに対応する集塵カバー１３に形成しているから、加工位置Ｐで多量に発生する切粉等を迅速に集塵口１３ａの方向に運び去ることができるので有利である。
【００２８】
また、加工刃物２の全体を集塵カバー１３内に収納して、ワーク１の通過に支障の無い最低限の開口１３ｂを集塵カバー１３に形成しているから、開口１３ｂからの切粉等の飛散を抑制することができる。
【００２９】
尚、木工加工以外に、金属加工、木粉と樹脂との複合材料加工にも適用することができる。
【００３０】
一方、ワーク１として、加熱により粘着性が発現する熱可塑性樹脂等の材料、熱可塑性樹脂を含む複合材料（木質材料＋熱可塑性樹脂等）、再加熱により粘着性が発現するホットメルト接着剤等を使用して複合化した積層板のようなものがある。
【００３１】
このようなワーク１を加工刃物２で切削等の加工をした場合、加工時の発熱により、その粘着成分が加工刃物２に付着し、切削抵抗が上がって加工仕上がりが悪くなったり、加工刃物２の寿命が短くなるという問題がある。
【００３２】
そこで、付着物を除去するために加工作業を中断し、加工刃物２を取り外して、手作業で付着物を除去する清掃作業を行っているが、加工刃物２を取り外す手間が必要である、鋭利な刃物のため危険である、刃物を傷つける可能性があるという問題がある。
【００３３】
また、取り外した加工刃物２を溶剤に浸漬して付着物を除去する清掃方法があるが、加工刃物２を取り外す手間が必要である、溶剤を使用するので環境が悪くなる、溶剤浸漬中は作業が中断される（または換え刃物が必要）という問題がある。
【００３４】
さらに、取り外した加工刃物２を刃物メーカに送って洗浄させる方法もあるが、加工刃物２を取り外す手間が必要である、刃物をメーカに送っている間は作業が中断される（または換え刃物が必要）、洗浄費用が発生するという問題がある。
【００３５】
そこで、加工機に加工刃物２をセットしたまま、加工時の発熱により粘着性が発生する材料を含まない材料（例えば、合板、ＭＤＦ、パーティクルボードなど）のワーク１を加工刃物２で切削することにより、そのワーク１や切粉に付着物を吸着若しくは転着させて除去できるようになる。
【００３６】
したがって、この方法を採用すれば、清掃・洗浄のために加工刃物２を取り外す必要が無く、加工作業の中断が短時間で済み、しかも、清掃用の加工材料は、安価で入手し易い材料で良い等の効果を得ることができ、簡易的に清掃作業性を向上させることができる。
【図面の簡単な説明】
【００３７】
【図１】加工機の集塵カバーの平面図である。
【図２】図１の正面図である。
【図３】図１の側面図である。
【図４】従来の加工機の集塵カバーの斜視図である。
【図５】図４の平面図である。
【符号の説明】
【００３８】
１      ワーク
２      加工刃物
５      集塵機
１３    集塵カバー
１３ａ  集塵口
１３ｂ  開口
１３ｃ  上面
１３ｄ  吸気口
Ｐ      加工位置
【図１】
2005035153.tif 000003
【図２】
2005035153.tif 000004
【図３】
2005035153.tif 000005
【図４】
2005035153.tif 000006
【図５】
2005035153.tif 000007